(57)【要約】より確実に送信アンテナの本数と電力とを知り、より確実に基地局を見つけることのできる受信装置および受信方法、ならびにコンピュータプログラムを提供する。第１の送信アンテナから送信されてくる第１の信号の第１の電力と第２の送信アンテナから送信されてくる第２の信号の第２の電力とを測定し、第１の電力と第２の電力との比が予め定めた閾値より大きいか否かを判定し、第１の電力と第２の電力との比が閾値より大きいと判定された場合、送信アンテナの数が２本であると推定する。
2012133697.tif 000002
【特許請求の範囲】
【請求項１】
第１の送信アンテナから送信されてくる第１の信号の第１の電力と第２の送信アンテナから送信されてくる第２の信号の第２の電力とを測定する測定手段と、
上記第１の電力と上記第２の電力との比が予め定めた閾値より大きいか否かを判定する判定手段と、
上記第１の電力と上記第２の電力との比が上記閾値より大きいと判定された場合、送信アンテナの数が２本であると推定する推定手段と
を有することを特徴とする受信装置。
【請求項２】
請求項１に記載の受信装置において、
前記測定手段は、前記第１の電力としてのリファレンスシグナルＲ０の電力と、前記第２の電力としてのリファレンスシグナルＲ１の電力とを測定する
ことを特徴とする受信装置。
【請求項３】
請求項１または３のいずれかに記載の受信装置において、
送信アンテナの数が２本であると推定された場合、前記第１の電力と前記第２の電力との平均値を受電電力とし、送信アンテナの数が２本であると推定されなかった場合、前記第１の電力を受電電力とするように、受電電力を計算する計算手段をさらに有する
ことを特徴とする受信装置。
【請求項４】
第１の送信アンテナから送信されてくる第１の信号の第１の電力と第２の送信アンテナから送信されてくる第２の信号の第２の電力とを測定する測定ステップと、
上記第１の電力と上記第２の電力との比が予め定めた閾値より大きいか否かを判定する判定ステップと、
上記第１の電力と上記第２の電力との比が上記閾値より大きいと判定された場合、送信アンテナの数が２本であると推定する推定ステップと
を含むことを特徴とする受信方法。
【請求項５】
第１の送信アンテナから送信されてくる第１の信号の第１の電力と第２の送信アンテナから送信されてくる第２の信号の第２の電力とを測定する測定ステップと、
上記第１の電力と上記第２の電力との比が予め定めた閾値より大きいか否かを判定する判定ステップと、
上記第１の電力と上記第２の電力との比が上記閾値より大きいと判定された場合、送信アンテナの数が２本であると推定する推定ステップと
を含む処理をコンピュータに行わせるコンピュータプログラム。
【発明の詳細な説明】
【技術分野】
【０００１】
本発明は受信装置および受信方法、ならびにコンピュータプログラムに関する。
【背景技術】
【０００２】
次世代の通信方式として注目されている、３ＧＰＰ（３ｒｄ  Ｇｅｎｅｒａｔｉｏｎ  Ｐａｒｔｎｅｒｓｈｉｐ  Ｐｒｏｊｅｃｔ）で標準化されているＬＴＥ（Ｌｏｎｇ  Ｔｅｒｍ  Ｅｖｏｌｕｔｉｏｎ）などの無線通信システムにおいて、受信機から報告された信号受信電力などの受信品質情報を基に基地局間のハンドオーバを行うかどうかが決定される。ここで、適切な基地局とのハンドオーバを実施するためには、受信機における信号受信電力を適切に推定する必要がある。【０００３】
受信機である端末装置では基地局から送信されるリファレンスシグナル（Ｒｅｆｅｒｅｎｃｅ  Ｓｉｇｎａｌ）を用いで電力（ＲＳＲＰ）を推定するが、その基地局の報知情報を取得するか、別の基地局からアンテナ数を通知されていない場合、基地局のアンテナ数は不明である。【０００４】
ＬＴＥでは基地局のアンテナ数が１本の場合Ｒ０のみのリファレンスシグナルがアンテナ送信され、基地局のアンテナ数が２本の場合Ｒ０およびＲ１のリファレンスシグナルがアンテナ送信され、基地局のアンテナ数が４本の場合Ｒ０，Ｒ１，Ｒ２、およびＲ３のリファレンスシグナルがそれぞれのアンテナ送信される。端末装置ではアンテナ数が不明な場合、すべてで共通に送信されているＲ０を使用して電力を推定することができる。【０００５】
従来、送信ダイバーシティを有する無線通信システムにおける無線受信装置において、無線送信装置からの送信の送信アンテナ毎の固有シンボルごとの受信情報レベルを測定し、その受信情報レベルから送信アンテナ数を推定し、推定された送信アンテナ数に対する復調を優先的に行い、ＣＲＣ（Ｃｙｃｌｉｃ  Ｒｅｄｕｎｄａｎｃｙ  Ｃｈｅｃｋ）マスクパターンを使ってＣＲＣ検査を行い、送信アンテナ数を検出するようにしているものもある（例えば、特許文献１参照）。
【先行技術文献】
【特許文献】
【０００６】
【特許文献１】特開２０１０−１６６３４８号公報
【発明の概要】
【発明が解決しようとする課題】
【０００７】
しかしながら、リファレンスシグナルＲ０を使用して電力を推定する方法では、送信アンテナが２本または４本の基地局において、アンテナの故障等でリファレンスシグナルＲ０が送信されなくなった場合に、端末装置で基地局が見つけられなくなってしまう。【０００８】
そこで、本発明は、上記課題を解決すること、すなわち、より確実に送信アンテナの本数と電力とを知り、より確実に基地局を見つけることのできる受信装置および受信方法、ならびにコンピュータプログラムを提供することを目的とする。
【課題を解決するための手段】
【０００９】
上記課題を解決するために、本発明の第１の観点によると、第１の送信アンテナから送信されてくる第１の信号の第１の電力と第２の送信アンテナから送信されてくる第２の信号の第２の電力とを測定する測定手段と、第１の電力と第２の電力との比が予め定めた閾値より大きいか否かを判定する判定手段と、第１の電力と第２の電力との比が閾値より大きいと判定された場合、送信アンテナの数が２本であると推定する推定手段とを有することを特徴とする受信装置が提供される。【００１０】
本発明の第２の観点によると、第１の送信アンテナから送信されてくる第１の信号の第１の電力と第２の送信アンテナから送信されてくる第２の信号の第２の電力とを測定する測定ステップと、第１の電力と第２の電力との比が予め定めた閾値より大きいか否かを判定する判定ステップと、第１の電力と第２の電力との比が閾値より大きいと判定された場合、送信アンテナの数が２本であると推定する推定ステップとを含むことを特徴とする受信方法が提供される。【００１１】
本発明の第３の観点によると、コンピュータに、第１の送信アンテナから送信されてくる第１の信号の第１の電力と第２の送信アンテナから送信されてくる第２の信号の第２の電力とを測定する測定ステップと、第１の電力と第２の電力との比が予め定めた閾値より大きいか否かを判定する判定ステップと、第１の電力と第２の電力との比が閾値より大きいと判定された場合、送信アンテナの数が２本であると推定する推定ステップとを含む処理を行わせることを特徴とするコンピュータプログラムが提供される。
【発明の効果】
【００１２】
本発明によれば、より確実に送信アンテナの本数と電力とを知り、より確実に基地局を見つけることのできる受信装置および受信方法、ならびにプログラを提供することができる。
【図面の簡単な説明】
【００１３】
【図１】ＬＴＥの受信機の構成を示すブロック図である。
【図２】電力測定部１４の構成を示すブロック図である。
【図３】電力測定の処理を説明するフローチャートである。
【図４】コンピュータのハードウェアの構成例を示すブロック図である。
【発明を実施するための形態】
【００１４】
以下、本発明の一実施の形態の受信装置について、図１〜図４を参照しながら説明する。
【００１５】
図１は、ＬＴＥの受信機の構成を示すブロック図である。受信機１０は、受信装置の一例であり、ＲＦ（Ｒａｄｉｏ  Ｆｒｅｑｕｅｎｃｙ）部１１、ＦＦＴ（Ｆａｓｔ  Ｆｏｕｒｉｅｒ  Ｔｒａｎｓｆｏｒｍ）部１２、チャネル推定部１３、および電力測定部１４を備える。
【００１６】
受信機１０では、図示せぬ受信アンテナで受信された信号は、ＲＦ部１１においてＡ／Ｄ（Ａｎａｌｏｇ／Ｄｉｇｉｔａｌ）変換により、アナログ信号からデジタル信号に変換される。ＦＦＴ部１２は、デジタル信号をフーリエ変換により周波数成分のデータに分ける。チャネル推定部１３は、周波数リソース上に予めマッピングされていた既知信号（Ｒｅｆｅｒｅｎｃｅ  Ｓｉｇｎａｌ）を用いて、周波数成分のデータからチャネル状態を表すチャネル推定行列を推定する。電力測定部１４は、チャネル推定行列から電力を測定する。
【００１７】
図２は、電力測定部１４の構成を示すブロック図である。電力測定部１４は、判定部３１、測定部３２、アンテナ推定部３３、および電力算出部３４を含む。
【００１８】
判定部３１は、リファレンスシグナルＲ０の電力とリファレンスシグナルＲ１の電力との比が予め定めた閾値より大きいか否かを判定する。測定部３２は、リファレンスシグナルＲ０の電力とリファレンスシグナルＲ１の電力とを測定する。アンテナ推定部３３は、リファレンスシグナルＲ０の電力とリファレンスシグナルＲ１の電力との比が閾値より大きいと判定された場合、送信アンテナの数が２本であると推定する。
【００１９】
電力算出部３４は、送信アンテナの数が２本であると推定された場合、リファレンスシグナルＲ０の電力とリファレンスシグナルＲ１の電力との平均値を受電電力とし、送信アンテナの数が２本であると推定されなかった場合、リファレンスシグナルＲ０の電力を受電電力とするように、受電電力を計算する。
【００２０】
図３は、電力測定の処理を説明するフローチャートである。
【００２１】
ステップＳ１１において、判定部３１は、リファレンスシグナルのチャネル推定行列から、基地局のアンテナ数が１本であるか、または基地局のアンテナ数が１本以外であるかを判定する。ステップＳ１１において、基地局のアンテナ数が１本以外であると判定された場合、すなわち、基地局のアンテナ数が２本であるか、４本であるか、または不明である場合、手続きはステップＳ１２に進み、測定部３２は、リファレンスシグナルＲ０のチャネル推定行列よりリファレンスシグナルＲ０の電力Ｐ０を測定し、リファレンスシグナルＲ１のチャネル推定行列よりリファレンスシグナルＲ１の電力Ｐ１を測定する。
【００２２】
ステップＳ１３において、判定部３１は、リファレンスシグナルのチャネル推定行列から、基地局のアンテナ数が２本または４本であるか否かを判定する。ステップＳ１３において、基地局のアンテナ数が２本または４本でなく、基地局のアンテナ数が不明であると判定された場合、手続きはステップＳ１４に進む。ステップＳ１４において、判定部３１は、電力Ｐ１／電力Ｐ０＞閾値Ｔｒであるか否かを判定する。なお、閾値Ｔｒは、あらかじめ決定されている閾値である。すなわち、判定部３１は、電力Ｐ１と電力Ｐ０との比が予め定めた閾値Ｔｒより大きいか否かを判定する。
【００２３】
ステップＳ１４において、電力Ｐ１／電力Ｐ０＞閾値Ｔｒであると判定された場合、アンテナ推定部３３は、アンテナ数が２本以上と判断し（アンテナ推定部３３は、送信アンテナの数が２本であると推定し）、手続きはステップＳ１５に進む。ステップＳ１５において、電力算出部３４は、電力Ｐ＝（電力Ｐ０  ＋電力Ｐ１）／２を算出し、算出の結果得られた電力Ｐを受信電力として出力して、電力測定の処理は終了する。
【００２４】
すなわち、アンテナ推定部３３は、電力Ｐ１と電力Ｐ０との比が閾値Ｔｒより大きいと判定された場合、送信アンテナの数が２本であると推定する。
【００２５】
ステップＳ１３において、基地局のアンテナ数が２本または４本であると判定された場合、手続きはステップＳ１５に進み、上述のように電力Ｐ＝（電力Ｐ０  ＋電力Ｐ１）／２が算出され、算出の結果得られた電力Ｐが受信電力として出力されて、電力測定の処理は終了する。
【００２６】
ステップＳ１１において、基地局のアンテナ数が１本であると判定された場合、手続きはステップＳ１６に進む。ステップＳ１６において、測定部３２は、チャネル推定部１３で求めたリファレンスシグナルＲ０のチャネル推定行列よりリファレンスシグナルＲ０の電力Ｐ０を測定する。ステップＳ１６の後、手続きはステップＳ１７に進み、電力算出部３４は、電力Ｐ＝電力Ｐ０とし、算出の結果得られた電力Ｐを受信電力として報告して（受信電力として出力して）、電力測定の処理は終了する。
【００２７】
ステップＳ１４において、電力Ｐ１／電力Ｐ０＞閾値Ｔｒでないと判定された場合、手続きはステップＳ１７に進み、電力Ｐ＝電力Ｐ０とされ、電力Ｐが受信電力として報告されて、電力測定の処理は終了する。
【００２８】
このように、受信機１０で基地局のアンテナ数が不明な場合に、基地局の送信アンテナ０（リファレンスシグナルＲ０）の電力がないときでも、その基地局の平均電力を適切に測定でき、基地局を見つけることができる。また、その測定結果を用いて報知情報を受信することで、報知情報復調・復号の候補数を減らすことができ、処理量・電力の削減が可能となる。
【００２９】
以上のように、受信機１０において、基地局の送信アンテナ数が不明な場合、リファレンスシグナルＲ０、リファレンスシグナルＲ１の電力がそれぞれ測定され、リファレンスシグナルＲ１の電力がリファレンスシグナルＲ０の電力より十分高い場合、基地局のアンテナ数が２本以上と判定され（推定され）、それ以外の場合は基地局のアンテナ数が１本と判定される（推定される）。これにより、リファレンスシグナルＲ０の電力が小さい場合でもリファレンスシグナルＲ１の電力が大きければ基地局のアンテナ数が２本であると判定され（推定され）、２アンテナの平均で電力を推定できるため、２送信アンテナの基地局の電力を推定する（計算する）ことができる。
【００３０】
上述した一連の処理は、ハードウェアにより実行することもできるし、ソフトウエアにより実行することもできる。一連の処理をソフトウエアにより実行する場合には、そのソフトウエアを構成するコンピュータプログラムが、専用のハードウェアに組み込まれているコンピュータ、または、各種のコンピュータプログラムをインストールすることで、各種の機能を実行することが可能な、例えば汎用のパーソナルコンピュータなどに、プログラム記録媒体からインストールされる。
【００３１】
図４は、上述した一連の処理をコンピュータプログラムにより実行するコンピュータのハードウェアの構成例を示すブロック図である。
【００３２】
コンピュータにおいて、ＣＰＵ（Ｃｅｎｔｒａｌ  Ｐｒｏｃｅｓｓｉｎｇ  Ｕｎｉｔ）１０１，ＲＯＭ（Ｒｅａｄ  Ｏｎｌｙ  Ｍｅｍｏｒｙ）１０２，ＲＡＭ（Ｒａｎｄｏｍ  Ａｃｃｅｓｓ  Ｍｅｍｏｒｙ）１０３は、バス１０４により相互に接続されている。
【００３３】
バス１０４には、さらに、入出力インタフェース１０５が接続されている。入出力インタフェース１０５には、キーボード、マウス、マイクロホンなどよりなる入力部１０６、ディスプレイ、スピーカなどよりなる出力部１０７、ハードディスクや不揮発性のメモリなどよりなる記憶部１０８、ネットワークインタフェースなどよりなる通信部１０９、磁気ディスク、光ディスク、光磁気ディスク、或いは半導体メモリなどのリムーバブルメディア１１１を駆動するドライブ１１０が接続されている。
【００３４】
以上のように構成されるコンピュータでは、ＣＰＵ１０１が、例えば、記憶部１０８に記憶されているコンピュータプログラムを、入出力インタフェース１０５及びバス１０４を介して、ＲＡＭ１０３にロードして実行することにより、上述した一連の処理が行われる。
【００３５】
コンピュータ（ＣＰＵ１０１）が実行するコンピュータプログラムは、例えば、磁気ディスク（フレキシブルディスクを含む）、光ディスク（ＣＤ-ＲＯＭ（Ｃｏｍｐａｃｔ  Ｄｉｓｃ-Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｃ）等）、光磁気ディスク、もしくは半導体メモリなどよりなるパッケージメディアであるリムーバブルメディア１１１に記録して、あるいは、ローカルエリアネットワーク、インターネット、デジタル衛星放送といった、有線または無線の伝送媒体を介して提供される。
【００３６】
そして、コンピュータプログラムは、リムーバブルメディア１１１をドライブ１１０に装着することにより、入出力インタフェース１０５を介して、記憶部１０８に記憶することで、コンピュータにインストールすることができる。また、コンピュータプログラムは、有線または無線の伝送媒体を介して、通信部１０９で受信し、記憶部１０８に記憶することで、コンピュータにインストールすることができる。その他、コンピュータプログラムは、ＲＯＭ１０２や記憶部１０８にあらかじめ記憶しておくことで、コンピュータにあらかじめインストールしておくことができる。
【００３７】
なお、コンピュータが実行するコンピュータプログラムは、本明細書で説明する順序に沿って時系列に処理が行われるプログラムであっても良いし、並列に、あるいは呼び出しが行われたとき等の必要なタイミングで処理が行われるプログラムであっても良い。
【００３８】
また、本発明の実施の形態は、上述した実施の形態に限定されるものではなく、本発明の要旨を逸脱しない範囲において種々の変更が可能である。
【符号の説明】
【００３９】
１０…受信機、１１…ＲＦ部、１２…ＦＦＴ部、１３…チャネル推定部、１４…電力測定部、３１…判定部、３２…測定部、３３…アンテナ推定部、３４…電力算出部、１０１…ＣＰＵ、１０２…ＲＯＭ、１０３…ＲＡＭ、１０８…記憶部、１０９…通信部、１１１…リムーバブルメディア
【図１】
2012133697.tif 000003
【図２】
2012133697.tif 000004
【図３】
2012133697.tif 000005
【図４】
2012133697.tif 000006
【国際調査報告】
2012133697.tif 000007
2012133697.tif 000008
2012133697.tif 000009
2012133697.tif 000010